(57)【特許請求の範囲】
【請求項１】
ブレースバーと鼻当て部を備えていると共に前記ブレースバーの両端部にツルを取り付けてあり、前記ブレースバーの中央部と鼻当て部で一眼レンズを保持している眼鏡であって、前記一眼レンズの左右上縁部分はブレースバーに対して隙間を設けて前方に配置させてあり、前記一眼レンズに前方からの押し込み力が作用したときには一眼レンズの左右上縁部分は所定の押し込み量でブレースバーに当接するようになっていることを特徴とする眼鏡。
【請求項２】
一眼レンズはブレースバーの中央部と鼻当て部材で着脱自在に保持されていることを特徴とする請求項１記載の眼鏡。
【請求項３】
一眼レンズは、その上縁中央部がブレースバーの中央部に形成された溝に、下縁中央部が鼻当て部に形成された溝に、それぞれ嵌入される態様で保持されていることを特徴とする請求項１又は２記載の眼鏡。
【請求項４】
ブレースバーの左右に、顔面と一眼レンズとの間に空気を流入出させるための空気流入出孔を形成してあることを特徴とする請求項１乃至３のいずれかに記載の眼鏡。
【発明の詳細な説明】
【０００１】
【発明の属する技術分野】
この発明は、一眼レンズ（左右一体型レンズ）を備えた眼鏡、特にサングラスに関するものである。
【０００２】
【従来の技術】
この種のサングラスとしては、例えば図５に示すようなものがある。
【０００３】
このサングラスは、図５に示すように、一眼レンズ90の上縁のほぼ全域をブレースバー91に形成した装着用溝91ａに嵌め込んであると共に、一眼レンズ90の下縁中央部には鼻当て部材92を取り付けてあり、前記ブレースバー91の左右両側端には、図５に示すように折り畳み自在にツル93，93が取り付けられている。
【０００４】
しかしながら、このサングラスでは、顔幅の大きさによってはツル93, 93相互が広がってブレースバー91及び一眼レンズ90が変形し、これにより一眼レンズ90を通して見える像が歪んでしまうという問題がある。
【０００５】
【発明が解決しようとする課題】
そこで、この発明では、一眼レンズを通して見える像が顔幅の大きさの影響を受けにくい眼鏡を提供することを課題とする。
【０００６】
【課題を解決するための手段】
（請求項１記載の発明）
この発明の眼鏡は、ブレースバーと鼻当て部を備えていると共に前記ブレースバーの両端部にツルを取り付けてあり、前記ブレースバーの中央部と鼻当て部で一眼レンズを保持しており、前記一眼レンズの左右上縁部分はブレースバーに対して隙間を設けて前方に配置させてあり、前記一眼レンズに前方からの押し込み力が作用したときには一眼レンズの左右上縁部分は所定の押し込み量でブレースバーに当接するようになっている。
（請求項２記載の発明）
この発明の眼鏡は、上記請求項１記載の発明に関し、一眼レンズはブレースバーの中央部と鼻当て部材で着脱自在に保持されている。
（請求項３記載の発明）
この発明の眼鏡は、上記請求項１又は２記載の発明に関し、一眼レンズは、その上縁中央部がブレースバーの中央部に形成された溝に、下縁中央部が鼻当て部に形成された溝に、それぞれ嵌入される態様で保持されている。
（請求項４記載の発明）
この発明の眼鏡は、上記請求項１乃至３のいずれかに記載の発明に関し、ブレースバーの左右に、顔面と一眼レンズとの間に空気を流入出させるための空気流入出孔を形成してある。
【０００７】
なお、上記発明の眼鏡の作用・効果については、以下の発明の実施の形態の欄で明らかにする。
【０００８】
【発明の実施の形態】
この発明の実施形態の眼鏡、特にサングラスを図面に従って説明する。
〔実施形態１〕
図１は、この発明の実施形態１のサングラスの正面図であり、図２は一眼レンズを取り外した状態の前記サングラスの側面図であり、図３は前記サングラスの平面図である。
（このサングラスの構成について）
このサングラスは、図１〜図３に示すように、ブレースバー１と鼻当て部２を備えていると共に前記ブレースバー１の両端部にツル３，３を折り畳み自在に取り付けてあり、前記ブレースバー１の中央部と鼻当て部２で一眼レンズ４を保持している。なお、この実施形態のサングラスでは、ブレースバー１と鼻当て部２は合成樹脂により一体成形してあり、また目的に応じて一眼レンズ４を工具なしで交換できるようにしてある。
【０００９】
ブレースバー１は、図１や図３に示すように一眼レンズ４の幅とほぼ一致する長さに設定してあり、人の額下部の形状にほぼ倣うように平面視略円弧状に形成してある。ここで、このブレースバー１の両端部近傍には図１、図３、図４に示すように、前後面に凹み部10ａ，10ｂを形成してあり、前面の凹み部10ａの中央部に略長円状の空気流入出孔10を形成してある。また、ブレースバー１の中央部下面には図２に示すように一眼レンズ４の上縁中央部が嵌まり込む溝11を形成してある。
【００１０】
鼻当て部２は、図１〜図３に示すように、略逆Ｖ字状に形成され、鼻に対してソフトに当接させるべく顔面との対向面にゴム製パット20を貼り付けてある。また、この鼻当て部２には図２に示すように、一眼レンズ４の下縁中央部が嵌まり込む略逆Ｖ字状に延びる溝21を形成してある。
【００１１】
ツル３，３は、ブレースバー１と同一の合成樹脂により構成されており、図２や図４に示すようにヒンジ５を介してブレースバー１に取り付けてあると共に、その先端にシリコン製の耳掛け部６を嵌め込んである。
【００１２】
一眼レンズ４は、球面レンズであり、上縁中央部を溝11に、下縁中央部を溝21に、それぞれ嵌め込む態様で取り付けられている。なお、交換できるレンズとしては透明レンズ、特定波長光をカットするレンズ、偏光レンズ、ミラーレンズ等を用意できる。
【００１３】
また、このサングラスでは、図３に示すように一眼レンズ４の左右上縁部分はブレースバー１に対して隙間ｇを設けて前方に配置させてあり、前記一眼レンズ４に前方からの押し込み力（主としてスピードスポーツをしたときの前方からの風圧）が作用したときには一眼レンズ４の左右上縁部分は所定の押し込み量でブレースバー１に当接するようになっている。
（このサングラスの優れている点について）
▲１▼．顔幅の大きさによってはツル３, ３相互が広がってブレースバー１が変形することとなるが、このサングラスでは一眼レンズ４の中央部のみをブレースバー１の中央部と鼻当て部２で保持しているから視界に影響を与えない部分のみが変形し、よって一眼レンズ４を通して見える像はほとんど歪んでいない。
▲２▼．スピードスポーツをしたときの前方からの風圧等により一眼レンズに大きな押し込み力が作用しても、一眼レンズ４の左右上縁部分は所定の押し込み量でブレースバー１に当接するようになっているから、一眼レンズ４には過度の変形が生じるようなことはない。
（このサングラスで一眼レンズ４を交換する場合について）
▲１▼．例えば、一眼レンズ４の左レンズ部における鼻当て部２近傍下縁（図４において符号Ａで示される部分）を指で摘んで手前に引き出し、そのレンズ部分を概ね溝21から抜きとる。
▲２▼．前記状態を維持しながら、一眼レンズ４の右レンズ部における鼻当て部２近傍下縁を指で摘んで変形させながら手前に引き出だす。すると一眼レンズ４の下縁中央は溝21から完全に抜け、そのまま一眼レンズ４を手前に引き出すと一眼レンズ４を取り外すことができる。
▲３▼．一眼レンズ４を取り付けるときは、例えば、一眼レンズ４の上縁中央部を溝11に嵌め込み、一眼レンズ４の右レンズ部おける鼻当て部２近傍下縁を概ね溝21に嵌めこみ、この状態を維持しながら一眼レンズ４の左レンズ部おける鼻当て部２近傍下縁を変形させて押し込むと、一眼レンズ４の装着は完了する。
▲４▼．上記したように、このサングラスでは、作業▲１▼〜▲３▼により目的に応じた一眼レンズ４に交換することができる。
〔その他の実施形態〕
上記実施形態のサングラスでは、目的に応じて一眼レンズ４を交換できるようにしているが、これに限定されることなく、一眼レンズ４が交換できないものとすることもできる。この場合においても一眼レンズ４を通して見える像が顔幅の大きさの影響を受けにくいという効果を有している。
【００１４】
【発明の効果】
この発明は上記のような構成であるから次の効果を有する。
【００１５】
発明の実施の形態の欄に記載した内容から、一眼レンズを通して見える像が顔幅の大きさの影響を受けにくい眼鏡を提供できた。
【図面の簡単な説明】
【図１】この発明の実施形態１のサングラスの正面図。
【図２】前記サングラスの説明図。
【図３】前記サングラスの平面図。
【図４】前記サングラスの部分拡大図。
【図５】一眼レンズを備えた先行するサングラスの斜視図。
【符号の説明】
１      ブレースバー
２      鼻当て部
３      ツル
４      一眼レンズ
５      ヒンジ
６      耳掛け部
10      空気流入出孔
11      溝
21      溝
【図１】
0004670111.tif 000002
【図２】
0004670111.tif 000003
【図３】
0004670111.tif 000004
【図４】
0004670111.tif 000005
【図５】
0004670111.tif 000006